(57)【要約】      （修正有）【課題】かごの昇降路下部への衝突の衝撃をより確実に緩和させることができるエレベータ緩衝装置を提供する。【解決手段】かご１の下部には、複数のばね５、及び膨張・収縮可能な複数のかご外膨張式緩衝具７が取り付けられている。また、かご１の下部には、各ばね５を介して当て板６が取り付けられている。当て板６は、各ばね５によってかご１の昇降方向に変位可能に支持されている。緩衝制御装置１０は、かご１が最下階を超えて下降したときに、かご１内の負荷に応じて、複数個のかご外膨張式緩衝具７を膨張させる。【選択図】図２
2006219219.tif 000002
【特許請求の範囲】
【請求項１】
かごの下部及び昇降路の下部の少なくともいずれか一方に取り付けられ、膨張及び収縮可能な複数のかご外膨張式緩衝具と、
上記かごが最下階を超えて下降したときに、上記かご外膨張式緩衝具を膨張させる緩衝制御装置と
を備えていることを特徴とするエレベータ緩衝装置。
【請求項２】
上記緩衝制御装置は、上記かごが最下階を超えて下降したときに膨張させる上記かご外膨張式緩衝具の数を、上記かご内の負荷に応じて制御することを特徴とする請求項１記載のエレベータ緩衝装置。
【請求項３】
上記かごの下部及び上記昇降路の下部の少なくともいずれか一方に取り付けられた付勢手段と、
上記付勢手段によって上記かごの昇降方向に変位可能に支持されている当て板と
をさらに備え、
上記かご外膨張式緩衝具は、上記かごの下部及び上記昇降路の下部の少なくともいずれか一方と、上記当て板との間に配置されていることを特徴とする請求項１又は請求項２に記載のエレベータ緩衝装置。
【請求項４】
上記かご内に設けられ、膨張及び収縮可能なかご内膨張式緩衝具
をさらに備え、
上記緩衝制御装置は、上記かごが最下階を超えて下降したときに、上記かご外膨張式緩衝具とともに上記かご内膨張式緩衝具を膨張させることを特徴とする請求項１〜請求項３のいずれかに記載のエレベータ緩衝装置。
【発明の詳細な説明】
【技術分野】
【０００１】
この発明は、かごの昇降路下部への衝突の衝撃を緩和するエレベータ緩衝装置に関するものである。
【背景技術】
【０００２】
従来装置では、昇降路の下部にばね緩衝器が立設されている。かごの下面には、１つの膨張式緩衝具が設けられている。エレベータに何等かの異常が生じ、かごが異常下降した場合には、かごがばね緩衝器に衝突される前に、膨張式緩衝具が膨張され、かごがばね緩衝器に衝突する際の衝撃は緩和される（例えば、特許文献１参照）。
【０００３】
【特許文献１】特開２００２−２１１８５６号公報
【発明の開示】
【発明が解決しようとする課題】
【０００４】
上記のような従来のエレベータの緩衝装置では、膨張式緩衝具は、１つしか設けられていないので、例えば膨張式緩衝具が故障してしまう等、膨張式緩衝具が正常に膨張しない場合には、かごがばね緩衝器に衝突する際の衝撃を緩和させることができない。
【０００５】
この発明は、上記のような課題を解決するためになされたものであり、その目的は、かごの昇降路下部への衝突の衝撃をより確実に緩和させることができるエレベータ緩衝装置を提供することである。
【課題を解決するための手段】
【０００６】
この発明に係るエレベータ緩衝装置は、かごの下部及び昇降路の下部の少なくともいずれか一方に取り付けられ、膨張及び収縮可能な複数のかご外膨張式緩衝具と、かごが最下階を超えて下降したときに、かご外膨張式緩衝具を膨張させる緩衝制御装置とを備えている。
【発明の効果】
【０００７】
この発明のエレベータ緩衝装置によれば、かごの下部及び昇降路の下部の少なくともいずれか一方に複数のかご外膨張式緩衝具が設けられているので、たとえ１つのかご外膨張式緩衝具が故障したとしても、その他の故障していないかご外膨張式緩衝具によって、かごの昇降路下部への衝突の衝撃を緩和させることができる。即ち、かごの昇降路下部への衝突の衝撃をより確実に緩和させることができる。
【発明を実施するための最良の形態】
【０００８】
以下、この発明を実施するための最良の形態について、図面を参照して説明する。
実施の形態１．
図１は、この発明の実施の形態１によるエレベータ装置の昇降路下部周辺を示す説明図である。図において、かご１は、主ロープ２によって昇降路３内に吊り下げられている。かご１の下部には、付勢手段である複数のばね５、及び膨張・収縮可能な複数のかご外膨張式緩衝具７が取り付けられている。また、かご１の下部には、各ばね５を介して平板状の当て板６が取り付けられている。各かご外膨張式緩衝具７は、通常時は収縮している。当て板６は、各ばね５によってかご１の昇降方向に変位可能に支持されている。
【０００９】
また、かご１には、かご１内の負荷を検出するための負荷検出器１２が搭載されている。昇降路３のピットの側壁には、かご１が最下階を超えて下降したことを検出するための位置検出器１３が取り付けられている。負荷検出器１２及び位置検出器１３からの信号は、緩衝制御装置１０に入力される。緩衝制御装置１０は、負荷検出器１２及び位置検出器１３からの信号に基づいて、各かご外膨張式緩衝具７の膨張をさせる。
【００１０】
ここで、各かご外膨張式緩衝具７には、ガス発生装置（図示しない）がそれぞれ接続されている。ガス発生装置は、緩衝制御装置１０の制御に応じてガスを発生し、かご外膨張式緩衝具７を膨張させる。
【００１１】
次に、図２は、図１のかご１が最下階を超えて下降したときの状態を示す説明図である。図のように、かご１が最下階を超えて下降すると、位置検出器１３から緩衝制御装置１０に対して異常下降検出信号が入力される。緩衝制御装置１０は、異常下降検出信号が入力されると、かご外膨張式緩衝具７を膨張させる。
【００１２】
当て板６が昇降路３の下部（ピット底）に接していないときには、当て板６は、かご１の下部から、かご外膨張式緩衝具７が膨張したときの最大寸法の分だけ離れた位置に配置されている。つまり、各かご外膨張式緩衝具７が膨張したときには、当て板６は、膨張した各かご外膨張式緩衝具７と一様に接している。膨張した各かご外膨張式緩衝具７は、かご１の下部と当て板６とによって挟持されている。
【００１３】
次に、図３は、図１のかご１が最下階を超えて下降したときに、かご１内の負荷が最小負荷である場合の各かご外膨張式緩衝具７の状態を示す説明図である。図４は、図１のかご１が最下階を超えて下降したときに、かご１内の負荷が最大負荷である場合の各かご外膨張式緩衝具７の状態を示す説明図である。
【００１４】
かご１が最下階を超えて下降したときに、かご１内の負荷が最小負荷である場合には、図３のように、５つのかご外膨張式緩衝具７が左右対称に膨張される。これに対して、かご１が最下階を超えて下降したときに、かご１内の負荷が最大負荷である場合には、図４のように、すべてのかご外膨張式緩衝具７が膨張される。即ち、緩衝制御装置１０は、かご１が最下階を超えて下降したときに膨張させるかご外膨張式緩衝具７の数を、かご１内の負荷に応じて制御する。
【００１５】
次に、動作の説明を行う。かご１が最下階を超えて下降し、図５のように、当て板６が昇降路３の下部に接すると、ばね５及び膨張している各かご外膨張式緩衝具７にかご１の重量がかかり始める。すると、膨張している各かご外膨張式緩衝具７は、充填されているガスを排出しながら緩衝効果を発揮し、図６のようにかご１の下降を停止させる。
【００１６】
このようなエレベータ緩衝装置では、かご１の下部に複数のかご外膨張式緩衝具７が設けられているので、たとえ１つのかご外膨張式緩衝具７が故障したとしても、その他の故障していないかご外膨張式緩衝具７がバックアップとなり、衝撃を緩和させることができる。即ち、かご１の昇降路３下部への衝突の衝撃をより確実に緩和させることができる。
【００１７】
また、このようなエレベータ緩衝装置では、従来のエレベータの緩衝装置に用いられている膨張式緩衝具に比べ、かご外膨張式緩衝具７は小さいので、より短い時間で膨張させることができる。従って、かご外膨張式緩衝具７を膨張させる必要が生じてから膨張させ終わるまでの間に、かご１が下降する距離を短くすることができるので、昇降路３のピットの深さを浅くすることができる。
【００１８】
さらに、このようなエレベータ緩衝装置では、緩衝制御装置１０は、かご１が最下階を超えて下降したときに膨張させるかご外膨張式緩衝具７の数を、かご１内の負荷に応じて制御するので、かご１内の乗客の多少に対応した最適な緩衝効果を得ることができる。
【００１９】
さらにまた、このようなエレベータ緩衝装置では、かご外膨張式緩衝具７は、かご１の下部と当て板６との間に配置されているので、衝撃を緩衝する際には、膨張している各かご外膨張式緩衝具７に均等に力が作用され、各かご外膨張式緩衝具７が損傷する可能性を低減させることができる。
【００２０】
また、このようなエレベータ緩衝装置では、かご１にばね５及び当て板６が取り付けられているので、例えばばね緩衝器等の従来昇降路３の下部に設けられていた緩衝器を設けなくてもよい。また、緩衝器を設けるスペースを省略することができるので、昇降路３のピットの深さを浅くすることができる。
【００２１】
実施の形態２．
図７は、この発明の実施の形態２によるエレベータ装置の昇降路下部周辺を示す説明図である。図において、かご１５内には、膨張・収縮可能なかご内膨張式緩衝具１６が取り付けられている。緩衝制御装置１７は、かご１５が最下階を超えて下降したときに、かご外膨張式緩衝具７とともにかご内膨張式緩衝具１６を膨張させる。その他の構成は、実施の形態１と同様である。
【００２２】
このようなエレベータ緩衝装置では、かご１５内にかご内膨張式緩衝具１６が設けられているので、かご１５が最下階を超えて下降し、かご１５が昇降路３の下部に衝突したときの衝撃で、万が一、乗客がかご１５内の壁に体をぶつけるようなことがあっても、そのかご１５内の壁にぶつかる衝撃を緩和させることができる。
【００２３】
なお、実施の形態１，２では、ばね５、当て板６、及びかご外膨張式緩衝具７は、かご１，１５の下部のみに取り付けられていたが、昇降路の下部に取り付けてもよく、かごの下部と昇降路の下部との両方に取り付けてもよい。
【図面の簡単な説明】
【００２４】
【図１】この発明の実施の形態１によるエレベータ装置の昇降路下部周辺を示す説明図である。
【図２】図１のかごが最下階を超えて下降したときの状態を示す説明図である。
【図３】図１のかごが最下階を超えて下降したときに、かご内の負荷が最小負荷である場合の各かご外膨張式緩衝具の状態を示す説明図である。
【図４】図１のかごが最下階を超えて下降したときに、かご内の負荷が最大負荷である場合の各かご外膨張式緩衝具の状態を示す説明図である。
【図５】図１の当て板が昇降路の下部に接触するまでかごが下降した状態を示す説明図である。
【図６】図１のかごの下降が停止されたときの状態を示す説明図である。
【図７】この発明の実施の形態２によるエレベータ装置の昇降路下部周辺を示す説明図である。
【符号の説明】
【００２５】
１，１５  かご、３  昇降路、５  ばね（付勢手段）、６  当て板、７  かご外膨張式緩衝具、１０，１７  緩衝制御装置、１２  負荷検出器、１３  位置検出器、１６  かご内膨張式緩衝具。
【図１】
2006219219.tif 000003
【図２】
2006219219.tif 000004
【図３】
2006219219.tif 000005
【図４】
2006219219.tif 000006
【図５】
2006219219.tif 000007
【図６】
2006219219.tif 000008
【図７】
2006219219.tif 000009